(57)【要約】【課題】操作ボタンの揺動に応じて、可動接片が傾動して固定接点と可動接点とが接触または離間するスイッチにおいて、低背化を実現する【解決手段】固定接点６０を収容するハウジング１０、ハウジング１０に対して回転軸AX回りに揺動自在な操作ボタン２０、ハウジング１０内に回転軸ＡＸと平行に配置された転動体３０、転動体３０に載置された、可動接点５０を有する可動接片４０、可動接片４０を転動体３０に押し付けるコイルばね８０を備える。ハウジング１０が、転動体３０を転動自在に保持する切欠２０Ｃを有する。操作ボタン２０の揺動に応じて、切欠２０Ｃが転動体３０を案内することにより、可動接片４０が傾動して可動接点５０と固定接点６０とが接触または離間する。【選択図】図４
2019067540.tif 000002
【特許請求の範囲】
【請求項１】
固定接点を収容するハウジングと、
該ハウジングに対して所定の回転軸回りに揺動自在な操作ボタンと、
前記ハウジング内に前記回転軸と平行に配置された転動体と、
該転動体上に配置され、可動接点を有する可動接片と、
該可動接片を前記転動体に押し付ける付勢部材とを備え、
前記ハウジングが、前記転動体を転動自在に保持する切欠を有するものであり、
前記操作ボタンの揺動に応じて、該切欠が案内することにより、前記可動接片が傾動して前記可動接点と前記固定接点とが接触または離間することを特徴とするスイッチ。
【請求項２】
前記ハウジングが、前記切欠により前記回転軸を中心とする周方向に前記転動体を案内することを特徴とする請求項１に記載のスイッチ。
【請求項３】
前記操作ボタンが、前記付勢部材の少なくとも一部を収容することを特徴とする請求項１または２に記載のスイッチ。
【請求項４】
前記ハウジングが、前記転動体の転動面に凸部を有するものであり、前記転動体が前記凸部を乗り越えて転動することを特徴とする請求項１〜３のいずれか１項に記載のスイッチ。
【請求項５】
前記ハウジングが、該ハウジング内に凹部を有するものであり、該凹部に前記転動体を配置することを特徴とする請求項１〜４のいずれか１項に記載のスイッチ。
【請求項６】
前記付勢部材が、前記回転軸と直交する方向に前記可動接片を付勢することを特徴とする請求項１〜５のいずれか１項に記載のスイッチ。
【発明の詳細な説明】
【技術分野】
【０００１】
本発明はスイッチに関する。より詳しくは、ハウジングに対して操作ボタンを揺動させることにより、可動接点を有する可動接片が傾動し、ハウジングに収容された固定接点と可動接点とが接触または離間するスイッチに関する。
【背景技術】
【０００２】
従来、民生機器、産業機器および各種車輌には、いわゆるロッカスイッチが使用されている。ロッカスイッチは、ハウジングに対し揺動自在な操作ボタンの下方に滑動棒を備え、この滑動棒が可動接片を滑動することにより、可動接片が傾動して可動接点と可動接片の下方の固定接点とが接触または離間するスイッチである（特許文献１参照）。
【０００３】
ロッカスイッチはパネルにワンタッチで取り付け可能なスナップイン型のものもある。スナップイン型のロッカスイッチは、パネルの取付孔にハウジングを挿入し、フランジ部を露出させ、ワンタッチでの取り付けを実現する。近年では、ロッカスイッチを使用する機器の薄型化が進み、パネル下方の空間を有効利用するためロッカスイッチの低背化が要望されている。
【先行技術文献】
【特許文献】
【０００４】
【特許文献１】特開２００８−０９１０６８号公報
【発明の概要】
【発明が解決しようとする課題】
【０００５】
しかしながら、特許文献１の技術では、上記滑動の際、滑動棒が可動接片に対して略起立する姿勢をなすため、滑動部の全長をスイッチの高さに含めなければならず、スイッチの低背化が困難である。
【０００６】
本発明の目的は、上記事情に鑑み、操作ボタンの揺動に応じて、可動接片が傾動し、固定接点と可動接点とが接触または離間するスイッチにおいて、低背化を実現することである。
【課題を解決するための手段】
【０００７】
本発明のスイッチは、上記課題を解決するために、固定接点を収容するハウジングと、ハウジングに対して所定の回転軸回りに揺動自在な操作ボタンと、ハウジング内に回転軸と平行に配置された転動体と、転動体に載置され、可動接点を有する可動接片と、可動接片を転動体に押し付ける付勢部材とを備え、ハウジングが、転動体を転動自在に保持する切欠を有するものであり、操作ボタンの揺動に応じて、切欠が転動体を案内することにより、可動接片が傾動して可動接点と固定接点とが接触または離間することを特徴とする。
【０００８】
また、本発明のスイッチにおいて、ハウジングは、切欠により回転軸を中心とする周方向に転動体を案内してもよい。
【０００９】
ここで、本発明における「周方向に転動体を案内する」とは、切欠が転動体を周方向に押し出すように案内することを意味する。
【００１０】
また、本発明のスイッチにおいて、操作ボタンが付勢部材の少なくとも一部を収容してもよい。
【００１１】
また、本発明のスイッチにおいて、ハウジングが転動体の転動面に凸部を有し、転動体が凸部を乗り越えて転動してもよい。
【００１２】
また、本発明のスイッチにおいて、ハウジングがハウジング内に凹部を有し、凹部内に転動体を配置してもよい。
【００１３】
また、本発明のスイッチにおいて、付勢部材が回転軸と直交する方向に可動接片を付勢してもよい。
【発明の効果】
【００１４】
本発明によれば、ハウジングが転動体を転動自在に保持する切欠を有し、操作ボタンの揺動に応じて、切欠が転動体を案内することにより、可動接片が傾動して可動接点と固定接点とが接触または離間するため、滑動棒が存在せず、低背化を実現できる。
【００１５】
また、本発明によれば、操作ボタンが付勢部材の少なくとも一部を収容すれば、付勢部材の高さは操作ボタンの高さに吸収されるため、より低背化を実現できる。
【００１６】
また、本発明によれば、ハウジングが転動体の転動面に凸部を有し、転動体が凸部を乗り越えて転動する場合、乗り越えた際に操作音を発生しつつ、低背化を実現できる。
【図面の簡単な説明】
【００１７】
【図１】ロッカスイッチの外観を示す斜視図
【図２】ロッカスイッチの分解斜視図
【図３】ロッカスイッチのパネルへの取り付けを示す図
【図４】開状態のロッカスイッチの断面図
【図５】閉状態のロッカスイッチの断面図
【図６】開状態のロッカスイッチの変形例（その１）
【図７】閉状態のロッカスイッチの変形例（その１）
【図８】開状態のロッカスイッチの変形例（その２）
【図９】閉状態のロッカスイッチの変形例（その２）
【発明を実施するための形態】
【００１８】
本発明の実施形態について図面を用いて詳細に説明する。図１は本発明の一実施形態であるロッカスイッチ１の斜視図、図２はロッカスイッチ１の分解斜視図、図３はロッカスイッチ１の取り付け態様を示す図、図４は開状態のロッカスイッチ１の断面斜視図および図５は閉状態のロッカスイッチ１の断面斜視図をそれぞれ示す。
【００１９】
ロッカスイッチ１は、２極単投のスイッチであるが、特に限定されるものではない。また、ロッカスイッチ１は、パネルPの取付孔Ｑへのワンタッチの取り付けが可能なスナップイン型のスイッチである。なお、図３において、上図は取り付け前、下図は取り付け後を示している。
【００２０】
ロッカスイッチ２は、ハウジング１０、ハウジング１０に揺動自在に保持される操作ボタン２０、ハウジング１０の内部で転動自在に配置された転動体３０、転動体３０に載置された可動接片４０、可動接片４０に取り付けられた可動接点５０、可動接点５０の下方でハウジング１０に保持された固定接点６０、固定接点６０と接続しハウジング１０に保持された接触端子７０、可動接片４０を転動体３０に押し付ける方向に付勢するコイルばね８０を備えている。
【００２１】
ハウジング１０は、略直方体の筒状であるが、その形状は限定されるものではない。また、ハウジング１０は、フランジ部１１および開口部１２を有している。ハウジング１０の幅広側面１０Ａには、開口部１２と連通する孔１０Ｂがそれぞれ形成されている。また、開口部１２の底には凹部１３が形成されている。
【００２２】
また、凹部１３の略中央には凸部１４が形成されている。また、ハウジング１０の幅狭側面１０Ｃには、パネルＰの取付孔Ｑの内側面を係止する係止片１５がそれぞれ形成されている。ハウジング１０の材質は、２つの接触端子７０の絶縁を確保できれば、特に限定されず、公知な樹脂材料であってもよい。
【００２３】
ボタン２０は開口部１２に収容されている。ボタン２０は、操作面２０Ａで指先等による操作を受け付ける。また、ボタン２０は、揺動突起２１を有しており、この揺動突起２１を孔１０Ｂに挿入することにより、ハウジング１０に対して回転軸AX回りで揺動自在に保持される。
【００２４】
また、ボタン２０は、中空部２２を有しており、コイルばね８０の少なくとも一部を収容してコイルばね８０の高さを吸収する。そして、ボタン２０は、コイルばね８０の一端部を固定している。また、ボタン２０は、側面２０Ｂに切欠２０Ｃが形成されている。
【００２５】
転動体３０は凹部１３に配置されている。転動体３０は、切欠部２０Ｃにより両端を案内されている。ボタン２０が回転軸AX回りに揺動すると、切欠２０Ｃが回転軸AXを中心とした周方向へ転動体３０を押し出して転動を案内する。また、凹部１３には凸部１４が形成されている。凸部１４は回転軸ＡＸの直下に形成されている。転動体３０は、図に示すような円筒ころであってもよいし、金属板を円筒にプレス加工したものであってもよい。
【００２６】
可動接片４０は、略Ｙ字状を有しており、転動体３０に載置されている。可動接片４０の２つの先端部には２つの可動接点５０が取り付けられている。また、可動接片４０の転動体３０と接触する部分は、転動体３０の曲率に対応して湾曲している。可動接片４０と転動体３０は互いに摺動自在である。
【００２７】
可動接片４０および接触端子７０の材質は、導電性を有していれば特に限定されず、公知な金属材料でよい。また、転動体３０の材質は、可動接片４０との摺動に対して耐摩耗性や剛性を有するものであれば、特に限定されない。
【００２８】
ハウジング１０は、可動接点５０の下方で固定接点６０をそれぞれ保持している。また、ハウジング１０は固定接点６０と接続する、略Ｌ字状の接触端子７０をそれぞれ保持している。可動接点５０および固定接点６０の材質は特に限定されず、公知な接点材料でよい。
【００２９】
コイルばね８０は、他端部が可動接片４０と当接しており、可動接片４０を転動体３０に押し付ける方向に付勢している。可動接片４０は、コイルばね８０の他端部を保持する突起を有している。コイルばね８０の材質は特に限定されるものではなく、公知なばね材料でよい。
【００３０】
ロッカスイッチ１の作用を説明する。操作ボタン２０が指先等から押下操作を受け付けると、操作ボタン２０がハウジング１０に対して回転軸ＡＸ回りに揺動する。切欠２０が、回転軸ＡＸを中心とした周方向に転動体３０の両端を押し出し、転動体３０の転動を案内する。転動体３０は、凹部１３の中を回転軸ＡＸと平行な姿勢で転動する転動体３０が、凸部１４を乗り換えて凹部１３に達すると操作音（クリック音）が発生する。
【００３１】
転動体３０は、凹部１３の両側のいずれかの壁に当接しているため、凹部１３を乗り越えて転動することはない。
【００３２】
コイルばね８０は、回転軸ＡＸと直交する方向に可動接片４０を付勢している。これにより、図２において、コイルばね８０は、可動接点５０と固定接点６０とが離間するように可動接片４０を付勢し、図３において、コイルばね８０は、可動接点５０と固定接点６０とが接触するように可動接片４０を付勢する。すなわち転動体３０が凸部１４を乗り越える度により、可動接点５０と固定接点６０とが接触または離間し、接触端子７０同士が導通または遮断される。
【００３３】
また、コイルバネ８０の付勢する方向は、回転軸ＡＸと必ずしも交差している必要はない。図６および図７に示すように、回転軸ＡＸとコイルばね８０の付勢する方向が交差さず、離れていても良い。図６が開状態、図７が閉状態をそれぞれ示す。
【００３４】
また、特許請求の範囲における付勢部材に相当する部品は、可動接片４０と別部品で構成する必要はない。図８および図９に示すように、可動接片４０を略Ｕ字に形成し、基端部を操作ボタン２０に固定してもよい。すなわち可動接片４０自体の弾性により、可動接片４０を転動体３０に押し付けるように付勢してもよい。また、図６乃至図９においては、同一部品については同一符号を付して詳細な説明は省略する。また、図６乃至図９において、接触端子７０の形状や配置が図４および図５と異なるが、特に限定されるものではない。
【００３５】
以上に説明した通り、本実施形態によれば、ハウジング１０が、転動体３０を転動自在に保持する切欠２０Ｃを有し、ハウジング１０に対して操作ボタン２０のＣ回転軸ＡＸ回りの揺動に応じて、切欠２０Ｃが転動体３０の転動を案内することにより、可動接片４０が傾動して可動接点５０と固定接点６０とが接触または離間するため、滑動棒を設ける必要がなく、低背化を実現できる。
【００３６】
また、本実施形態によれば、操作ボタン２０が中空部２２にコイルばね８０を収容するため、コイルばね８０の高さを吸収でき、より低背化を実現できる。
【００３７】
また、本実施形態によれば、切欠２０Ｃの案内により転動体３０が凸部１４を乗り越える際に操作音（クリック音）を発生させることもできる。なお、本発明は、以上に説明した実施形態に限定されるものではなく、本発明の趣旨を逸脱しない限り適宜変更することができる。
【符号の説明】
【００３８】
ＡＸ    回転軸
P      パネル
Q      取付孔
１      ロッカスイッチ
１０    ハウジング
１０A  幅広側面
１０B  孔
１０C  幅狭側面
１１    フランジ部
１２    開口部
１３    凹部
１４    凸部
１５    係止片
２０    操作ボタン
２０Ａ  操作面
２０Ｂ  側面
２０Ｃ  切欠
２１    揺動突起
２２    中空部
３０    転動体
４０    可動接片
５０    可動接点
６０    固定接点
７０    接触端子
８０    コイルばね（付勢部材）
【図１】
2019067540.tif 000003
【図２】
2019067540.tif 000004
【図３】
2019067540.tif 000005
【図４】
2019067540.tif 000006
【図５】
2019067540.tif 000007
【図６】
2019067540.tif 000008
【図７】
2019067540.tif 000009
【図８】
2019067540.tif 000010
【図９】
2019067540.tif 000011